(57)【要約】【課題】視界の鮮明度を保ち、外観上のファッション性を向上しながら、顔面装着時の防水性や快適性を保持する水中マスクを提供する。【解決手段】硬質素材にて形成されたフレーム部１と、そのレンズ装填用開口部内側に設けられた溝にかみ合うように装着された弾性素材によるフランジ部２と、フレーム部２のレンズ装填用開口部に装填されたレンズ３と、フレーム部２に固定されレンズ３をフレーム部１に保持するレンズ押さえ４とを具備する。フランジ部２が使用者の顔面部と接触して防水を保持するように透明な弾性素材によって形成され、そのフランジ部２の内外面の全面又は一部をつや消し状態として、透明素材で形成されていていても内部が透き通って見えないようにされている。【選択図】図３
2011130833.tif 000002
【特許請求の範囲】
【請求項１】
硬質素材にて形成されたフレーム部と、そのレンズ装填用開口部内側に設けられた溝にかみ合うように装着された弾性素材によるフランジ部と、フレーム部のレンズ装填用開口部に装填されたレンズと、フレーム部に固定されレンズをフレーム部に保持するレンズ押さえとを具備し、
前記フランジ部が使用者の顔面部と接触して防水を保持するように透明な弾性素材によって形成され、該フランジ部の内外面の全面又は一部をつや消し状態として、透明素材で形成されていても内部が透き通って見えないようになっていることを特徴とする水中マスク。
【請求項２】
前記フランジ部の使用者顔面との接触面は、鏡面仕上げもしくは均一で細かいつや消し仕上げとされていることを特徴とする請求項１記載の水中マスク。
【請求項３】
前記フランジ部の内面で且つ使用者顔面と接触しない面およびマスクレンズと接触しない面の全域について、つや消し状態としてあることを特徴とする請求項１又は２記載の水中マスク。
【発明の詳細な説明】
【技術分野】
【０００１】
本発明は、スキューバダイビングおよびスキンダイビングに使用する水中用マスク(以下水中マスクという。)に関する。
【背景技術】
【０００２】
現在実用化されている水中マスクは、使用者の顔面と接触し外部からの水の浸入を防ぐフランジ部において、透明なゴム素材または着色したゴム素材が使用されている。
【０００３】
また、透明なゴム素材では、顔面が透けて見えるばかりか、同ゴム素材分からの外来光がレンズ部に反射して、視界の鮮明度を悪くする事があり、特に写真撮影などでファインダーを覗く際などは妨げとなったため、これを解決する事が求められている。
【０００４】
また、これらを回避すべくゴム素材に顔料等を入れ、着色することが行われているが、これによる場合、ゴム素材に着色するための物質を添加することにより、成形加工性が悪化するほか、成形後のゴム素材の硬度が変化することがあり、使用者の顔面との防水性の低下や装着感の悪化などの実用性に影響が出る場合があった。
【０００５】
一方、水中マスクのフランジ部を極力小さくし、使用者の顔面へのフィット感の向上と広視界を狙った物も実用化されている（特許文献１参照）。しかしながら、水中では曲面レンズはレンズとしての作用効果を持ってしまい、水中における視界がゆがむほか、水中で物体を注視しにくくなるなどの弊害もあり、長時間水中で使用するスキューバダイビングには使うことが出来なかった。
【先行技術文献】
【特許文献】
【０００６】
【特許文献１】特許公表２００３−５２１９５９号公報（第１頁）
【発明の概要】
【発明が解決しようとする課題】
【０００７】
視界の鮮明度を保ち、外観上のファッション性を向上しながら、顔面装着時の防水性や快適性を保持する水中マスクを提供する。
【課題を解決するための手段】
【０００８】
本発明は、上記課題を解決するために次の構成を備える。
本発明に係る水中マスクの一形態によれば、硬質素材にて形成されたフレーム部と、そのレンズ装填用開口部内側に設けられた溝にかみ合うように装着された弾性素材によるフランジ部と、フレーム部のレンズ装填用開口部に装填されたレンズと、フレーム部に固定されレンズをフレーム部に保持するレンズ押さえとを具備し、前記フランジ部が使用者の顔面部と接触して防水を保持するように透明な弾性素材によって形成され、該フランジ部の内外面の全面又は一部をつや消し状態として、透明素材で形成されていても内部が透き通って見えないようになっている。
【０００９】
また、本発明に係る水中マスクの一形態によれば、前記フランジ部の使用者顔面との接触面は、鏡面仕上げもしくは均一で細かいつや消し仕上げとされていることを特徴とすることができる。
【００１０】
また、本発明に係る水中マスクの一形態によれば、前記フランジ部の内面で且つ使用者顔面と接触しない面およびマスクレンズと接触しない面の全域について、つや消し状態としてあることを特徴とすることができる。
【発明の効果】
【００１１】
本発明に係る水中マスクによれば、視界の鮮明度を保ち、外観上のファッション性を向上しながら、顔面装着時の防水性や快適性を保持するという特別有利な効果を奏する。
【図面の簡単な説明】
【００１２】
【図１】本発明に係る水中マスクの斜め上方から見た図である。
【図２】図１の形態例の背面図である。
【図３】図１の形態例の斜め後ろから見たである。
【図４】図１の形態例の断面図である。
【発明を実施するための形態】
【００１３】
以下、本発明に係る水中マスクの実施形態を添付図面（図１〜４）に基づいて詳細に説明する。１はフレームであり、２のフランジが図４に示すように内側部にてかみ合っている。また、３のレンズが１フランジの内径部であるレンズ装填部に装填され。さらに４のレンズ押さえにより離脱しないように固定される。
２のフランジには水中マスクを使用者の顔面へ固定するためのストラップ（図示せず）とそのストラップを保持するための止め具（図示せず）を固定するための突起部２ａが設けられている。
【００１４】
図４において、１フレームに取り付けられた２フランジは、３レンズおよび４レンズ押さえによってフレームに押し付けられている。また、１フレームの１ａフランジ受け部形状は、２フランジとかみ合う形状とされている。
【００１５】
２フランジの内面において、図２の２ｂで示される部分は表面には、内部が透けて見えないような不透明化つや消し処理がなされている。また、２ｃで示される部分の表面は鏡面光沢仕上げあるいは均一で細かなつや消し処理となっている。さらに詳しくは、図４の５に示す点線部が、不透明化つや消し処理している部分を示している。なお、不透明かつ均一で細かなつや消し処理である、すりガラス状つや消し処理を２ｂおよび２ｃ双方に施すことでも、各々の部分における必要な効果を奏する事が可能である。
【実施例１】
【００１６】
以下、本発明の実施例を図１から図４に基づいて詳細に説明する。１はフレームであり、２のフランジが図４に示すように内側部にてかみ合っている。また、３のレンズが１フランジの内径部であるレンズ装填部に装填され。さらに４のレンズ押さえにより離脱しないように固定される。
２のフランジには水中マスクを使用者の顔面へ固定するためのストラップ（図示せず）とそのストラップを保持するための止め具（図示せず）を固定するための突起部２ａが設けられている。
【００１７】
図４において、１フレームに取り付けられた２フランジは、３レンズおよび４レンズ押さえによってフレームに押し付けられている。また、１フレームの１ａフランジ受け部形状は、２フランジとかみ合う形状とされている。そのため、３レンズおよび２フランジはその接触面において防水性が保たれ、さらに２フランジは１フレームから容易には離脱しないようになっている。３レンズと２フランジの接触面は、防水性の確保のため鏡面光沢仕上げとなっている。
【００１８】
２フランジの内面において、図２の２ｂで示される部分は表面には、内部が透けて見えない不透明化つや消し処理がなされている。また、２ｃで示される部分は光沢仕上げとなっている。さらに詳しくは、図４の５に示す点線部が、不透明化つや消し処理がなされている部分になっている。
水中マスクにおいて、装着者の顔面との接触面は図２および図３の２ｃで示される範囲であり、シール面になっている。この部分において、防水性が保持されない場合、使用中にマスク内へ水が浸入し、視界を妨げる等の不具合を生じる。そのため該部においては特に表面の円滑性が要求され、その理想的形態としては、鏡面光沢状もしくは均一で細かいすりガラス状つや消しに仕上げられていることが好ましい。
さらに、より防水性を高めるためには、このシール面部分を鏡面光沢仕上げとし、疑似吸盤としての密着効果を得ることが好ましい。
【００１９】
一方、図２および図３の２ｂで示す範囲においては、使用者の顔面への接触は無い。また、図３の２ｄで示す側面部からは、２フランジが透明素材で形成されている場合、外来光が入り込み、３レンズに移りこむ場合がある。これを防止すべく、図２および図３の２ｂで示す範囲の表面を内部が見えないような不透明化つや消し処理、より具体的にはすりガラス状つや消し処理とし、外来光を拡散して３レンズへの映り込みを緩和させている。
【００２０】
一般に、２フランジを弾性素材、特に液状シリコンゴムによる射出成形にて成形する場合、着色素材には、透明素材へ着色剤として顔料と油脂を混合したものを添加する。そのため素材の物性が透明素材から変化してしまい、特に硬度が柔らかくなる事が避けられない。そのため使用者顔面へのフィット感が変わり、図２および図３の２ｂで示す部分の一部が使用者顔面に接触してしまうなどの不具合が生じることがあるが、透明素材であっても不透明化つや消し処理で効果的に外来光による３レンズへの映り込みを防止できることは、この不具合を排除することができる。
また、図２および図３の２ｂで示す部分をつや消し処理により不透明化することで、使用者の顔面が見えなくなり装着時のファッション性が良くなるという効果もある。
【００２１】
以上の構成により、水中マスクにおいて、視界の鮮明度を保ち、外観上のファッション性を向上しながら、顔面装着時の防水性や快適性の保持を実現できるものである。
【００２２】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２３】
１      フレーム
１ａ    フランジ受け部
２      フランジ
２ａ    突起部
２ｂ    つや消し処理部
２ｃ    鏡面光沢部
３      レンズ
４      レンズ押さえ
【図１】
2011130833.tif 000003
【図２】
2011130833.tif 000004
【図３】
2011130833.tif 000005
【図４】
2011130833.tif 000006